Podtech/llm-jp-corpus-v4-ja_patent huggingface dataset:
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
マウス抗ＣＤ７４（ｍＬＬ１）の相補性決定領域（ＣＤＲ）とヒト抗体のフレームワーク（ＦＲ）領域とを含んでなるＬ鎖およびＨ鎖可変領域を含んでなる、ヒト化抗ＣＤ７４モノクローナル抗体（ｍＡｂ）またはそのフラグメントであって、
前記ヒト化ｍＡｂのＬ鎖可変領域が、アミノ酸配列ＲＳＳＱＳＬＶＨＲＮＧＮＴＹＬＨを含むＣＤＲ１、アミノ酸配列ＴＶＳＮＲＦＳを含むＣＤＲ２、およびアミノ酸配列ＳＱＳＳＨＶＰＰＴを含むＣＤＲ３を含んでなるマウス抗ＣＤ７４ ｍＡｂのＬ鎖可変領域のＣＤＲを含んでなり、かつ、前記ヒト化ｍＡｂのＨ鎖可変領域が、アミノ酸配列ＮＹＧＶＮを含むＣＤＲ１、アミノ酸配列ＷＩＮＰＮＴＧＥＰＴＦＤＤＤＦＫＧを含むＣＤＲ２、およびアミノ酸配列ＳＲＧＫＮＥＡＷＦＡＹを含むＣＤＲ３を含むマウス抗ＣＤ７４ ｍＡｂのＨ鎖可変領域のＣＤＲを含んでなり、
図４ＡのＨ鎖可変領域および図４ＢのＬ鎖可変領域を含んでなる、ヒト化抗ＣＤ７４モノクローナル抗体（ｍＡｂ）またはそのフラグメント。
【請求項２】
以下の少なくとも一つの特性を示す、請求項１に記載のヒト化抗体：
（ａ）ＣＤ−７４に対する前記ｍＡｂまたはそのフラグメントの結合が、ＣＤ７４に特異的な抗体またはそのフラグメントによってブロッキングされること、
（ｂ）前記ｍＡｂまたはそのフラグメントが、Ｒａｊｉリンパ腫培養細胞によってインターナライズされること、および
（ｃ）前記ｍＡｂまたはそのフラグメントが、マウスＩｇＧ１ ｍＡｂのＦｃと反応性を有するヤギ抗血清と架橋させた場合、Ｒａｊｉ培養細胞のアポトーシスを誘導すること。
【請求項３】
図２ＡのＨ鎖可変領域および図２ＢのＬ鎖可変領域を含んでなる、キメラ抗ＣＤ７４ ｍＡｂまたはそのフラグメント。
【請求項４】
以下の少なくとも一つの特性を示す、請求項３に記載のキメラ抗体：
（ａ）ＣＤ−７４に対する前記ｍＡｂまたはそのフラグメントの結合が、ＣＤ７４に特異的な抗体またはそのフラグメントによってブロッキングされること、
（ｂ）前記ｍＡｂまたはそのフラグメントが、Ｒａｊｉリンパ腫培養細胞によってインターナライズされること、および
（ｃ）前記ｍＡｂまたはそのフラグメントが、マウスＩｇＧ１ ｍＡｂのＦｃと反応性を有するヤギ抗血清と架橋させた場合、Ｒａｊｉ培養細胞のアポトーシスを誘導すること。
【請求項５】
ヒト抗体のＬ鎖およびＨ鎖可変領域および定常領域を含んでなる、ヒト抗ＣＤ７４（ｈｕＣＤ７４）モノクローナル抗体（ｍＡｂ）またはそのフラグメントであって、
前記ヒト抗ＣＤ７４ ｍＡｂのＬ鎖可変領域のｈｕＣＤ７４ ＣＤＲが、アミノ酸配列ＲＳＳＱＳＬＶＨＲＮＧＮＴＹＬＨを含むＣＤＲ１、アミノ酸配列ＴＶＳＮＲＦＳを含むＣＤＲ２、およびアミノ酸配列ＳＱＳＳＨＶＰＰＴを含むＣＤＲ３を含んでなり、かつ前記ヒトｍＡｂのＨ鎖可変領域が、アミノ酸配列ＮＹＧＶＮを含むＣＤＲ１、アミノ酸配列ＷＩＮＰＮＴＧＥＰＴＦＤＤＤＦＫＧを含むＣＤＲ２、およびアミノ酸配列ＳＲＧＫＮＥＡＷＦＡＹを含むＣＤＲ３を含んでなるマウス抗ＣＤ７４ ｍＡｂのＨ鎖可変領域のＣＤＲを含んでなる、ヒト抗ＣＤ７４（ｈｕＣＤ７４）モノクローナル抗体（ｍＡｂ）またはそのフラグメント。
【請求項６】
ヒトＩｇＧ１である、請求項５に記載のヒト抗ＣＤ７４ ｍＡｂまたはそのフラグメント。
【請求項７】
以下の少なくとも一つの特性を示す、請求項５に記載のヒト抗ＣＤ７４ ｍＡｂまたはそのフラグメント：
（ａ）ＣＤ−７４に対する前記ｍＡｂまたはそのフラグメントの結合が、ＣＤ７４に特異的な抗体またはそのフラグメントによってブロッキングされること、
（ｂ）前記ｍＡｂまたはそのフラグメントが、Ｒａｊｉリンパ腫培養細胞によってインターナライズされること、および
（ｃ）前記ｍＡｂまたはそのフラグメントが、マウスＩｇＧ１ ｍＡｂのＦｃと反応性を有するヤギ抗血清と架橋させた場合、Ｒａｊｉ培養細胞のアポトーシスを誘導すること。
【請求項８】
前記フラグメントが、Ｆ（ａｂ’）２、Ｆａｂ、ｓｃＦｖ、Ｆｖであるか、またはＦ（ａｂ’）２、Ｆａｂ、ｓｃＦｖもしくはＦｖの、Ｌ鎖およびＨ鎖の一部もしくは全部を用いた融合構築物であり、かつ前記フラグメントがＣＤ７４と結合する、請求項１に記載のヒト化抗ＣＤ７４ ｍＡｂまたはそのフラグメント。
【請求項９】
前記融合タンパク質が、多価であるかまたは多価かつ多重特異性である、請求項８に記載のヒト化抗ＣＤ７４ ＭＡｂまたはそのフラグメント。
【請求項１０】
ＩｇＧ１の定常領域が、ヒトＩｇＧ２ａ、ＩｇＧ３、またはＩｇＧ４のヒト定常領域で置換されている、請求項８に記載のヒト化抗ＣＤ７４ ｍＡｂまたはそのフラグメント。
【請求項１１】
請求項９に記載のｍＡｂまたはそのフラグメントの１以上のＦｖまたはＦａｂと、ＣＤ７４抗原ではない腫瘍細胞マーカーに特異的な抗体に由来する１以上のＦｖまたはＦａｂとを含んでなり、前記腫瘍細胞マーカーが、ＣＤ１９、ＣＤ２０およびＣＤ２２からなる群から選択されるＢ細胞系抗原由来のものである、抗体融合タンパク質。
【請求項１２】
請求項１に記載の少なくとも一つのｍＡｂまたはそのフラグメントまたはその抗体融合タンパク質を含む抗体成分を含んでなり、ＣＤ７４と結合する免疫複合体であって、前記抗体成分が診断薬または治療薬に結合されている、免疫複合体。
【請求項１３】
ＣＤ７４発現悪性腫瘍、免疫調節障害症、自己免疫疾患、臓器移植拒絶症および移植片対宿主病からなる群から選択される疾患または疾病の治療のための、請求項１に記載の裸の抗ＣＤ７４抗体もしくはそのフラグメントまたは裸の抗体融合タンパク質もしくはそのフラグメント。
【請求項１４】
請求項１に記載の抗ＣＤ７４抗体もしくはそのフラグメントまたは抗体融合タンパク質もしくはそのフラグメントまたは免疫複合体を含んでなる、治療用複合体であって、
前記抗ＣＤ７４抗体もしくはそのフラグメントまたは抗体融合タンパク質もしくはそのフラグメントまたは免疫複合体が、ＣＤ７４発現悪性腫瘍、免疫調節障害症、自己免疫疾患、臓器移植拒絶症および移植片対宿主病からなる群から選択される疾患または疾病の治療のための少なくとも一つの治療薬に結合されている、治療用複合体。
【手続補正書】
【提出日】平成18年9月25日(2006.9.25)
【手続補正１】
【補正対象書類名】特許請求の範囲
【補正対象項目名】請求項１
【補正方法】変更
【補正の内容】
【請求項１】
データストリームを配列するための方法であって、
前記データストリームは、ビデオデータおよび／またはオーディオデータおよび／または別のデータを含んでおり、
多重化された要素ストリームの基本的なＡＶ ＭＰＥＧ‐２搬送ストリームの各部分をポインティングする連続的な記述子（PlayItem）の基本的なストリームパスを定義し、
該記述子は、前記基本的なＡＶ ＭＰＥＧ‐２搬送ストリームの各部分を再生するための時間的な配列を定義し、
前記基本的なストリームパスに並行して存在する１つまたは複数の連続的な記述子（SubPlayItem）の多重的なサブストリームパスを定義し、
データストリームまたは該データストリームの各部分をポインティングする記述子の前記サブストリームパスは、前記基本的なＡＶ ＭＰＥＧ‐２搬送ストリームの外部に位置づけられており、
サブストリームパスは、複数の可能なサブストリームパスの種類のうち１種類のサブストリームパスであり、
前記基本的なＡＶ ＭＰＥＧ‐２搬送ストリームの外に位置するデータストリームを、ＭＰＥＧ‐２搬送ストリームとして編成し、
サブストリームパスの種類を指示し、
前記データストリームを相応のサブストリームパスの１つまたは複数の記述子（SubPlayItem）によってポインティングすることにより、外部のデータソースに由来する少なくとも１つのデータストリームと、前記基本的なＡＶ ＭＰＥＧ‐２搬送ストリームとを関連づけることを特徴とする方法。
【手続補正２】
【補正対象書類名】特許請求の範囲
【補正対象項目名】請求項２
【補正方法】変更
【補正の内容】
【請求項２】
前記基本的なＡＶ ＭＰＥＧ‐２搬送ストリームは、読み出し専用ディスクに事前記録されており、
前記基本的なＡＶ ＭＰＥＧ‐２搬送ストリームと関連づけられた前記少なくとも１つのデータストリームを、インターネットを介して供給する、請求項１記載の方法。
【手続補正３】
【補正対象書類名】特許請求の範囲
【補正対象項目名】請求項４
【補正方法】変更
【補正の内容】
【請求項４】
前記記述子は、時間的かつバイナリストリームにおけるポイントを定義することによって、データストリームの各部分の同期をスイッチングに関して定義し、１つのデータストリームの部分のデコードを別のデータストリームの部分のデコードに置換できるようになる、請求項１または２記載の方法。
【手続補正４】
【補正対象書類名】特許請求の範囲
【補正対象項目名】請求項５
【補正方法】変更
【補正の内容】
【請求項５】
ビデオデータおよび／またはオーディオデータおよび／または別のデータを含むデータストリームを再生する方法において、
多重化された要素ストリームの基本的なＡＶ ＭＰＥＧ‐２搬送ストリームの部分をポインティングする連続的な記述子（PlayItem）の基本的なストリームパスを復号化し、該記述子は、該基本的なＡＶ ＭＰＥＧ‐２搬送ストリームの部分を再生する時間的な配列を定義するステップと、
該基本的なストリームパスに対して並列に存在する１つまたは複数の連続的な記述子（SubPlayItem）の多重的なサブストリームパスを復号化し、データストリームまたは該データストリームの部分をポインティングする記述子のサブストリームパスは、基本的なＡＶ ＭＰＥＧ‐２搬送ストリームの外に位置し、サブストリームパスは、複数の可能なサブストリームパスの種類のうち１つの種類であり、該基本的なＡＶ ＭＰＥＧ‐２搬送ストリームの外に位置するデータストリームを、ＭＰＥＧ‐２搬送ストリームとして編成するステップと、
前記種類のサブストリームパスを復号化するステップと、
該基本的なＡＶ ＭＰＥＧ‐２搬送ストリームと、外部のデータソースに由来する少なくとも１つのデータストリームとを同時に再生し、その際には、相応のサブストリームパスの１つまたは複数の記述子（SubPlayItem）によって該データストリームをポインティングすることにより、該外部のデータソースに由来する少なくとも１つのデータストリームと該基本的なＡＶ ＭＰＥＧ‐２搬送ストリームとを結びつけることを特徴とする方法。
【手続補正５】
【補正対象書類名】特許請求の範囲
【補正対象項目名】請求項７
【補正方法】変更
【補正の内容】
【請求項７】
事前記録された記憶媒体であって、
該記憶媒体は、ビデオデータおよび／またはオーディオデータおよび／または別のデータを含む形式のものにおいて、
多重化された要素ストリームの基本的なＡＶ ＭＰＥＧ‐２搬送ストリームと、前記基本的なＡＶ ＭＰＥＧ‐２搬送ストリームの各部分をポインティングする連続的な記述子（PlayItem）の基本的なストリームパスとを有しており、
前記記述子（PlayItem）は、前記基本的なＡＶ ＭＰＥＧ‐２搬送ストリームの各部分を再生するための時間的な配列を定義し、
該記憶媒体は、前記基本的なストリームパスに並列して存在する１つまたは複数の連続的な記述子（SubPlayItem）の多重的なサブストリームパスと、該サブストリームパスの種類の指示部とを有しており、
データストリームまたは該データストリームの各部分をポインティングする記述子のサブストリームパスは、外部のデータソース上に、前記基本的なＡＶ ＭＰＥＧ‐２搬送ストリームの外部に位置づけられており、
サブストリームパスは、複数の可能なサブストリームパスの種類のうち１種類のサブストリームパスであり、
前記基本的なＡＶ ＭＰＥＧ‐２搬送ストリームの外に位置づけられたデータストリームは、ＭＰＥＧ‐２搬送ストリームとして編成されており、
さらに、前記サブストリームパスの種類を指示する指示部も設けられていることを特徴とする記憶媒体。
【手続補正書】
【提出日】平成18年9月27日(2006.9.27)
【手続補正１】
【補正対象書類名】明細書
【補正対象項目名】００３２
【補正方法】変更
【補正の内容】
【００３２】
基本的に、第２および第３のプリント線２５、２９の相互距離が、信号の絶縁を決定する。プリント回路板７上の第２および第３のプリント線２５、２９の幅は、約１．８ｍｍである。
【手続補正２】
【補正対象書類名】明細書
【補正対象項目名】００３５
【補正方法】変更
【補正の内容】
【００３５】
【図１】ＧＰＳ受信機モジュールの概略図である。
【図２】本発明によるデュアル・バンド・アンテナの一実施形態を備えたプリント回路板の図である。
【図３】図２に示されたアンテナのインピーダンス・スペクトルを示したグラフである。
【手続補正書】
【提出日】平成18年5月10日(2006.5.10)
【手続補正１】
【補正対象書類名】明細書
【補正対象項目名】００９５
【補正方法】変更
【補正の内容】
【００９５】
【数１】
2006502251.tif 000001
【手続補正２】
【補正対象書類名】明細書
【補正対象項目名】００９６
【補正方法】変更
【補正の内容】
【００９６】
式中、Ｋm は比定数（ｃｍ3 ・ｇ-1）でありそしてｃはポリマーの濃度（ｇ・ｃｍ-3）あるいはＣgmはモノマー単位の濃度（ｍｏｌ・ｃｍ-3）である。  
【手続補正３】
【補正対象書類名】明細書
【補正対象項目名】０１０１
【補正方法】変更
【補正の内容】
【０１０１】
【数３】
2006502251.tif 000002
【手続補正４】
【補正対象書類名】明細書
【補正対象項目名】０１０２
【補正方法】変更
【補正の内容】
【０１０２】
十分に小さい濃度および小さい剪断速度の場合には、減少した比粘度は“スタウジンガー指数”または“極限粘度数”と称される特徴的な積定数（product constant) である［η］。
【手続補正５】
【補正対象書類名】明細書
【補正対象項目名】０１０３
【補正方法】変更
【補正の内容】
【０１０３】
【数４】
2006502251.tif 000003
【手続補正６】
【補正対象書類名】明細書
【補正対象項目名】０１０９
【補正方法】変更
【補正の内容】
【０１０９】
毛管０ｃおよび約４００ｓの通過時間Ｄを用いた場合、Ｅd は約１０3 Ｐａ．ｓ-1である。これは流動溶液Ｖと毛管半径Ｒの場合に次の様に得られる：
【手続補正７】
【補正対象書類名】明細書
【補正対象項目名】０１１６
【補正方法】変更
【補正の内容】
【０１１６】
【数９】
2006502251.tif 000004
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
高分子量有機材料と、全不揮発分に基づいて５〜１５重量％の３,６−ジ（４'−ビフェニル）−２,５−ジヒドロ−ピロロ［３，４−ｃ］−ピロール−１,４−ジオンと、少なくとも１つの更なる有色顔料と、場合により、更なる白色顔料、黒色顔料又はエフェクト顔料と、を含む厚さ５〜２５μmのコーティングであって、ここで、有色顔料の総量に基づいて、
（ａ）比表面積が２０〜５０m2/gである３,６−ジ（４'−ビフェニル）−２,５−ジヒドロ−ピロロ［３，４−ｃ］−ピロール−１,４−ジオン顔料３０〜９０重量％及び
（ｂ）キナクリドン、ジケト−ピロロ［３，４−ｃ］−ピロール、ジオキサジン、インダントロン、ペリレン、フタロシアニン及び３−アミノ−１Ｈ−イソインドール−１−オン−オキシマト−金属錯体顔料並びにこれらの固溶体及びこれらの混合物よりなる系列から選択され、表面積が１０〜４０m2/gであるさらなる有機有色顔料１０〜７０重量％
が存在するコーティング。
【請求項２】
成分（ｂ）が、キナクリドン、ジケト−ピロロ［３，４−ｃ］−ピロール、ペリレン及び３−アミノ−１Ｈ−イソインドール−１−オン−オキシマト−金属錯体顔料並びにこれらの固溶体及びこれらの混合物よりなる系列から選択される、請求項１記載のコーティング。
【請求項３】
成分（ｂ）が、ピグメントレッド１２２、ピグメントレッド１２３、ピグメントレッド１４９、ピグメントレッド１７８、ピグメントレッド１７９、ピグメントレッド１９０、ピグメントレッド２０２、ピグメントレッド２２４、ピグメントレッド２５４、ピグメントレッド２５５、ピグメントレッド２５７、ピグメントレッド２７０、ピグメントレッド２７２、ピグメントバイオレット１９又はピグメントバイオレット２９である、請求項２記載のコーティング。
【請求項４】
請求項１、２又は３記載のコーティングで覆われた、金属又はプラスチック材料からなる厚さ０．１〜１００mmを有する、板、シート、異形材又は成形品。
【請求項５】
材料をコーティングで覆う方法であって、全不揮発分に基づいて５〜１５重量％の３,６−ジ（４'−ビフェニル）−２,５−ジヒドロ−ピロロ［３，４−ｃ］−ピロール−１,４−ジオンと、少なくとも１つの更なる有色顔料と、場合により、更なる白色顔料、黒色顔料又はエフェクト顔料と、を含む表面コーティング組成物を使用し、ここで、有色顔料の総量に基づいて、
（ａ）比表面積が２０〜５０m2/gである３,６−ジ（４'−ビフェニル）−２,５−ジヒドロ−ピロロ［３，４−ｃ］−ピロール−１,４−ジオン顔料３０〜９０重量％及び
（ｂ）キナクリドン、ジケト−ピロロ［３，４−ｃ］−ピロール、ジオキサジン、インダントロン、ペリレン、フタロシアニン及び３−アミノ−１Ｈ−イソインドール−１−オン−オキシマト−金属錯体顔料並びにこれらの固溶体及びこれらの混合物よりなる系列から選択され、表面積が１０〜４０m2/gであるさらなる有機有色顔料１０〜７０重量％
が存在する表面コーティング組成物を用いる方法。
【請求項６】
全不揮発分に基づいて５〜１５重量％の３,６−ジ（４'−ビフェニル）−２,５−ジヒドロ−ピロロ［３，４−ｃ］−ピロール−１,４−ジオンと、少なくとも１つの更なる有色顔料と、場合により、更なる白色顔料、黒色顔料又はエフェクト顔料と、を含む表面コーティング組成物であって、ここで、有色顔料の総量に基づいて、
（ａ）比表面積が２０〜５０m2/gである３,６−ジ（４'−ビフェニル）−２,５−ジヒドロ−ピロロ［３，４−ｃ］−ピロール−１,４−ジオン顔料３０〜９０重量％及び
（ｂ）キナクリドン、ジケト−ピロロ［３，４−ｃ］−ピロール、ジオキサジン、インダントロン、ペリレン、フタロシアニン及び３−アミノ−１Ｈ−イソインドール−１−オン−オキシマト−金属錯体顔料並びにこれらの固溶体及びこれらの混合物よりなる系列から選択され、表面積が１０〜４０m2/gであるさらなる有機有色顔料１０〜７０重量％
が存在する表面コーティング組成物。
【請求項７】
有色顔料の総量に基づいて、３,６−ジ（４'−ビフェニル）−２,５−ジヒドロ−ピロロ［３，４−ｃ］−ピロール−１,４−ジオンの量が４０〜８０重量％である、請求項５記載の方法。
【請求項８】
有色顔料の総量に基づいて、３,６−ジ（４'−ビフェニル）−２,５−ジヒドロ−ピロロ［３，４−ｃ］−ピロール−１,４−ジオンの量が４０〜８０重量％である、請求項６記載の組成物。
【請求項９】
表面コーティング組成物の成分（ｂ）として、比表面積１０〜２５m2/gを有するキナクリドン若しくはジケト−ピロロ［３，４−ｃ］−ピロール顔料、又は比表面積２０〜４０m2/gを有するペリレン顔料を使用する、請求項５記載の方法。
【請求項１０】
成分（ｂ）として、比表面積１０〜２５m2/gを有するキナクリドン若しくはジケト−ピロロ［３，４−ｃ］−ピロール顔料、又は比表面積２０〜４０m2/gを有するペリレン顔料が存在する、請求項６記載の組成物。
【請求項１１】
コーティングが厚さ１５〜２５μｍを有する、請求項５、７又は９記載の方法。
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
ａ）  式(Ｉ)：
【化１】
2006502260.tif 000001
［式中、
Mはジルコニウム、チタニウムまたはハフニウムであり；
Xは、互いに等しいか異なって、水素原子、ハロゲン原子、R、OR、OR'O、OSO2CF3、OCOR、SR、NR2またはPR2基であり(ここで、R置換基は、元素周期表の13〜17族に属する1以上のヘテロ原子を任意に含んでもよい直鎖もしくは分枝鎖状、飽和もしくは不飽和のC1〜C20-アルキル、C3〜C20-シクロアルキル、C6〜C20-アリール、C7〜C20-アルキルアリールまたはC7〜C20-アリールアルキル基であり；そしてR'置換基はC1〜C40-アルキリデン、C6〜C40-アリーリデン、C7〜C40-アルキルアリーリデンまたはC7〜C40-アリールアルキリデンである)であり；
R1は、互いに等しいか異なって、直鎖もしくは分枝鎖状C1〜C20-アルキル基であり；
R2は、互いに等しいか異なって、水素原子または直鎖もしくは分枝鎖状、飽和もしくは不飽和のC1〜C20-アルキル基であり；
R3およびR4は、互いに等しいか異なって、水素原子または元素周期表の13〜17族に属する1以上のヘテロ原子を任意に含んでもよい直鎖もしくは分枝鎖状、飽和もしくは不飽和のC1〜C20-アルキル、C3〜C20-シクロアルキル、C6〜C20-アリール、C7〜C20-アルキルアリールまたはC7〜C20-アリールアルキル基であるか；あるいはそれらは一緒になって、元素周期表の13〜16族に属する1以上のヘテロ原子を任意に含んでもよい縮合した飽和もしくは不飽和の5または6員環を形成でき、該環は1以上の置換基を任意に有していてもよく；
R5およびR6は、互いに等しいか異なって、水素原子または元素周期表の13〜17族に属する1以上のヘテロ原子を任意に含んでもよい直鎖もしくは分枝鎖状、飽和もしくは不飽和のC1〜C20-アルキル、C3〜C20-シクロアルキル、C6〜C20-アリール、C7〜C20-アルキルアリールまたはC7〜C20-アリールアルキル基であるか；あるいはそれらは一緒になって、元素周期表の13〜16族に属する1以上のヘテロ原子を任意に含んでもよい縮合した飽和もしくは不飽和の5または6員環を形成でき、該環は1以上の置換基を任意に有していてもよく； Qは、記号*を付した位置でインデニルに結合している式(ＩＩ)：
【化２】
2006502260.tif 000002
［式中、
T1、T2、T3、T4およびT5は、同一か異なって、 炭素原子(C)または窒素原子(N)であり；
m1、m2、m3、m4およびm5は0または1であり；対応するT1、T2、T3、T4およびT5が窒素原子であるときは、m1、m2、m3、m4およびm5は0であり、対応するT1、T2、T3、T4およびT5が
炭素原子であるときは、1であり；
R7、R8、R9、R10およびR11は、互いに等しいか異なって、水素原子または元素周期表の13〜17族に属する1以上のヘテロ原子を任意に含んでもよい直鎖もしくは分枝鎖状、飽和もしくは不飽和のC1〜C20-アルキル、C3〜C20-シクロアルキル、C6〜C20-アリール、C7〜C20-アルキルアリールまたはC7〜C20-アリールアルキル基であるか；あるいはそれらは一緒になって、元素周期表の13〜16族に属する1以上のヘテロ原子を任意に含んでもよい縮合した飽和もしくは不飽和の5または6員環を形成でき；該環は1以上の置換基を有することができるが；但し、R7、R8、R9、R10およびR11の少なくとも一つは水素原子と異なり、T1、T2、T3、T4およびT5の2以下が窒素原子である］
の基である］
のメタロセン化合物；および
ｂ）アルモキサンまたはアルキルメタロセンカチオンを形成できる化合物；
を接触させて得ることができる触媒系の存在下で、重合条件下、エチレン、１以上のアルファ-オレフィン類と、任意のポリエンとを接触させることからなる式CH2=CHA (ここで、AはC2〜C20-アルキル基である)の１以上のアルファ-オレフィン類の誘導単位0.1〜99モル％と任意に5モル％に至るまでのポリエンを含有するエチレンのポリマーの製造方法。
【請求項２】
式(ＩＩ)の基において、R9が直鎖もしくは分枝鎖状、飽和もしくは不飽和のC1〜C20-アルキル、C3〜C20-シクロアルキル、C6〜C20-アリール、C7〜C20-アルキルアリールまたはC7〜C20-アリールアルキル基であり；かつR7、R8、R10およびR11が水素原子である請求項１に記載の方法。
【請求項３】
式(ＩＩ)の基において、R8およびR10が直鎖もしくは分枝鎖状、飽和もしくは不飽和のC1〜C20-アルキル、C3〜C20-シクロアルキル、C6〜C20-アリール、C7〜C20-アルキルアリール、C7〜C20-アリールアルキル基であり；かつR7、R9およびR11が水素原子である請求項１に記載の方法。
【請求項４】
アルファ-オレフィンが、1-ペンテン、1-ヘキセンまたは1-オクテンである請求項１〜３のいずれか一つに記載の方法。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
高分子量ポリオレフィンの水性乳濁液を形成する一工程直接加圧方法であって、
１０，０００以上の分子量を有するポリオレフィン、界面活性剤、脂肪酸、塩基、及び水を、水性ポリオレフィン乳濁液を形成するのに十分な時間、高圧下において攪拌しながら圧力反応容器中で前記ポリオレフィンの乳化温度より高い温度に加熱する工程、
を含む方法。
【請求項２】
前記時間が、３０乃至６０分である請求項１記載の方法。
【請求項３】
前記温度が、前記ポリオレフィンの乳化温度より１０乃至２０℃高い温度である請求項１又は２記載の方法。
【請求項４】
前記ポリオレフィンが、１種以上の反応性化学的官能基を含む官能化ポリオレフィンである請求項１乃至３のいずれかに記載の方法。
【請求項５】
前記ポリオレフィンが、ポリエチレン、ポリプロピレン、ポリブテン、ポリイソブチレン及びポリヘキセンからなる群から選択される請求項４記載の方法。
【請求項６】
前記ポリオレフィンが、約１００，０００乃至１２０，０００の分子量を有する請求項５記載の方法。
【請求項７】
前記反応性化学的官能基が、マレイン酸、アクリル酸、メタクリル酸、無水マレイン酸、無水アクリル酸、無水メタクリル酸、グリシジルアクリレート又はメタクリレートからなる群から選択される請求項４乃至６のいずれかに記載の方法。
【請求項８】
前記脂肪酸が、１種以上の飽和脂肪酸、１種以上の不飽和脂肪酸及びそれらの組合せからなる群から選択され、５乃至２５質量％で存在する請求項４乃至７のいずれかに記載の方法。
【請求項９】
前記飽和脂肪酸が、ステアリン酸、パルミチン酸、ラウリン酸、ミリスチン酸及びベヘン酸及びそれらの組合せからなる群から選択される請求項８記載の方法。
【請求項１０】
前記塩基が、有機塩基、無機塩基及びそれらの組合せからなる群から選択され、１乃至１０質量％存在する請求項４乃至９のいずれかに記載の方法。
【請求項１１】
前記塩基が、NaOH、KOH、Ca(OH)2、2-ジメチルアミノ-1-エタノール、2-ジメチルアミノ-1-プロパノール、トリエチルアミン、アンモニア、2-ジメチルアミノ-2-メチル-1-プロパノール、2-アミノ-2-メチル-1-プロパノール及びそれらの組合せからなる群から選択される請求項１０記載の方法。
【請求項１２】
前記塩基が、アミノ基及びヒドロキシル基の両方を含むヒドロキシルアミンである請求項１０記載の方法。
【請求項１３】
前記界面活性剤が、エトキシ化アルキルアルコール及びエトキシ化アルキル酸からなる群から選択され、５乃至２０質量％で存在する請求項１乃至１２のいずれかに記載の方法。
【請求項１４】
前記圧力反応容器内の水性乳濁液の固体含量が、１０乃至４５質量％である請求項１乃至１３のいずれかに記載の方法。
【請求項１５】
請求項１乃至１４のいずれかに記載の方法により形成された高分子量官能化ポリオレフィン乳濁液。
【請求項１６】
前記ポリオレフィンが、１種以上の反応性化学的官能基を含む官能化ポリオレフィンである請求項１５記載の高分子量官能化ポリオレフィン乳濁液。
【請求項１７】
前記ポリオレフィンが、ポリエチレン、ポリプロピレン、ポリブテン、ポリイソブチレン及びポリヘキセンからなる群から選択される請求項１６記載の高分子量官能化ポリオレフィン乳濁液。
【請求項１８】
前記反応性官能基が、マレイン酸、アクリル酸、メタクリル酸、無水マレイン酸、無水アクリル酸、無水メタクリル酸、グリシジルアクリレート及びメタクリレートからなる群から選択される請求項１６又は１７記載の高分子量官能化ポリオレフィン乳濁液。
【請求項１９】
前記脂肪酸が、５乃至２５質量％で存在し、飽和脂肪酸、不飽和脂肪酸及びそれらの組合せからなる群から選択される請求項１６乃至１８のいずれかに記載の高分子量官能化ポリオレフィン乳濁液。
【請求項２０】
前記脂肪酸が、ステアリン酸、パルミチン酸、ラウリン酸、ミリスチン酸及びベヘン酸及びそれらの組合せからなる群から選択される飽和脂肪酸である請求項１９記載の高分子量官能化ポリオレフィン乳濁液。
【請求項２１】
前記塩基が、１乃至１０質量％で存在し、有機塩基、無機塩基及びそれらの組合せからなる群から選択される請求項１６乃至２０のいずれかに記載の高分子量官能化ポリオレフィン乳濁液。
【請求項２２】
前記塩基が、NaOH、KOH、Ca(OH)2、2-ジメチルアミノ-1-エタノール、2-ジメチルアミノ-1-プロパノール、トリエチルアミン、アンモニア、2-ジメチルアミノ-2-メチル-1-プロパノール、2-アミノ-2-メチル-1-プロパノール及びそれらの組合せからなる群から選択される請求項２１記載の高分子量官能化ポリオレフィン乳濁液。
【請求項２３】
前記界面活性剤が５乃至２０質量％存在し、エトキシ化アルキルアルコール及びエトキシ化アルキル酸からなる群から選択される請求項１６乃至２２のいずれかに記載の高分子量官能化ポリオレフィン乳濁液。
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
ジヒドロキシ化合物を製造するアップフロー反応器であって、
当該アップフロー反応器が、容器（１４）と、容器（１４）内に配置された触媒床（１２）と、容器（１４）内に配置された反応体分配／生成物回収システムとを備えており、
反応体分配／生成物回収システムが、容器（１４）の下端に配置された分配器（２０）と、容器（１４）の上端に配置された回収器（４０）とを備えていて、
分配器（２０）が入口（１８）と流体連通していて、入口（１８）を通して反応体が分配器（２０）に導入され、分配器（２０）が分配器（２０）に設けられた孔（３４）と分配器（２０）の孔（３４）に設けられた第１スクリーン（１７）とを備えており、
回収器（４０）を通してジヒドロキシ化合物生成物が取り出され、回収器（４０）が回収器（４０）に設けられた孔（４６）と回収器（４０）の孔（４６）に設けられた第２スクリーン（４７）とを備える、アップフロー反応器。
【請求項２】
さらに、容器（１４）の下端に配置されて触媒床（１２）を支持する凝集体層（１６）を備える、請求項１記載のアップフロー反応器。
【請求項３】
凝集体層（１６）が珪砂、珪藻土、セラミックボール又はこれらの組合せを含む、請求項２記載のアップフロー反応器。
【請求項４】
容器（１４）が、略円筒形、略平行六面体、略球形又はこれらの組合せである構造幾何形状の容器（１４）である、請求項１記載のアップフロー反応器。
【請求項５】
容器（１４）がさらに、容器（１４）の上面に配置されたジャケット（２４）を備える、請求項１記載のアップフロー反応器。
【請求項６】
触媒床（１２）が架橋イオン交換樹脂触媒を含む、請求項１記載のアップフロー反応器。
【請求項７】
アップフロー反応器の下端に配置された、アップフロー反応器用の分配器（２０）であって、
反応体が供給される入口（１８）と流体連通しているマニホールド（２８）と、
マニホールド（２８）に設けられた孔（３４）と、
孔（３４）に設けられたスクリーン（１７）とを備え、
スクリーン（１７）及び孔（３４）がそれらを通して反応体が流通できるように構成されている、分配器（２０）。
【請求項８】
アップフロー反応器の上端に配置された、アップフロー反応器用の回収器（４０）であって、
マニホールド（４２）と、
マニホールド（４２）に設けられた孔（４６）と、
孔（４６）に設けられたスクリーン（４７）とを備え、
スクリーン（４７）及び孔（４６）がそれらを通して生成物がマニホールド（４２）に導入されるように構成されている、回収器（４０）。
【請求項９】
アップフロー反応器（１０）でジヒドロキシ化合物を製造する方法であって、当該方法が、
アップフロー反応器（１０）の下端に配置された分配器（２０）であって、複数のスクリーンで覆われた孔（１７，３４）が設けられた分配器（２０）に反応体を導入し、
上記反応体を分配器（２０）から触媒床（１２）を通して上向きに流し、
ジヒドロキシ化合物をアップフロー反応器（１０）の上端から回収する
工程を含む方法。
【請求項１０】
請求項１乃至請求項６のいずれか１項記載の装置で製造したジヒドロキシ化合物をホスゲン、ジフェニルカーボネート又はホスゲン及びジフェニルカーボネートの組合せと反応させる工程を含む、ポリカーボネートの製造方法。
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
ＨＩＶ  ＤＮＡワクチン組成物であって、
少なくとも１つのＨＩＶ  Ｇａｇコード配列またはＥｎｖコード配列を含む核酸発現ベクター；および
ポリ（Ｄ．Ｌ−ラクチド−コ−グリコリド）（ＰＬＧ）
を含む、ＨＩＶ  ＤＮＡワクチン組成物。
【請求項２】
前記ＰＬＧの濃度が、前記核酸発現ベクターの濃度より約５と１００倍の間で高い、請求項１に記載のワクチン組成物。
【請求項３】
請求項２に記載のワクチン組成物であって、ここで、前記核酸の濃度が約１０μｇ／ｍＬと５ｍｇ／ｍＬの間であり、そして前記ＰＬＧの濃度が約１００μｇ／ｍＬと１００ｍｇ／ｍＬの間である、ワクチン組成物。
【請求項４】
請求項１に記載のワクチン組成物であって、ここで、１用量あたりの前記核酸の濃度が約１μｇ／用量と５ｍｇ／用量の間であり、かつ１用量あたりの前記ＰＬＧの濃度が、約１０μｇ／用量と１００ｍｇ／用量の間である、ワクチン組成物。
【請求項５】
【数１】
2006502228.tif 000001
または
【数２】
2006502228.tif 000002
を含む、請求項１〜４のいずれか１項に記載のワクチン組成物。
【請求項６】
（ａ）１０μｇ  ＤＮＡおよび０．２５ｍｇ  ＰＬＧまたは（ｂ）１００μｇ  ＤＮＡおよび２．５ｍｇ  ＰＬＧのいずれかを含む、請求項１〜４のいずれか１項に記載のワクチン組成物。
【請求項７】
ＨＩＶワクチン組成物であって、
オリゴマーｇｐ１４０（ｏ−ｇｐ１４０）；および
薬学的に受容可能な賦形剤
を含む、ＨＩＶワクチン組成物。
【請求項８】
前記ｏ−ｇｐ１４０の濃度が、約０．１ｍｇ／ｍＬと１０ｍｇ／ｍＬの間である、請求項７に記載のＨＩＶワクチン組成物。
【請求項９】
１用量あたりの前記ｏ−ｇｐ１４０の濃度が、約１００μｇ／用量である、請求項８に記載のＨＩＶワクチン組成物。
【請求項１０】
【数３】
2006502228.tif 000003
または
【数４】
2006502228.tif 000004
を含む、請求項７〜９のいずれか１項に記載のＨＩＶワクチン組成物。
【請求項１１】
さらにアジュバントを含む、請求項７〜１０のいずれか１項に記載のＨＩＶワクチン組成物。
【請求項１２】
前記アジュバントが、ＭＦ５９またはＣｐＧである、請求項１１に記載のＨＩＶワクチン組成物。
【請求項１３】
０．４ｍｇ／ｍｌ  ｏ−ｇｐ１４０および０．２５ｍｌ  ＭＦ５９を含む、請求項１２に記載のＨＩＶワクチン組成物。
【請求項１４】
前記ＭＦ５９アジュバントが、
【数５】
2006502228.tif 000005
を含む、請求項１２または１３に記載のＨＩＶワクチン組成物。
【請求項１５】
ＨＩＶワクチン組成物であって、
請求項１〜６のいずれか１項に記載のＨＩＶ  Ｅｎｖ  ＤＮＡワクチン組成物；
請求項１〜６のいずれか１項に記載のＨＩＶ  Ｇａｇ  ＤＮＡワクチン組成物；および
請求項７〜１４のいずれか１項に記載のＨＩＶワクチン組成物を含む、ＨＩＶワクチン組成物。
【請求項１６】
被験体において免疫応答を起こさせるための第一および第二のＨＩＶワクチン組成物であって、
請求項１〜１４のいずれか１項に記載の第一のＨＩＶワクチン組成物、および
同時に、別個にまたは続いて使用するための、請求項１〜１４のいずれか１項に記載の第二のＨＩＶワクチン組成物。
【請求項１７】
請求項１６に記載の第一および第二のＨＩＶワクチン組成物であって、ここで、
第一のワクチン組成物が、請求項１〜６のいずれか１項に記載のワクチン組成物であり、そして
第二のワクチン組成物が、請求項７〜１３のいずれか１項に記載のワクチン組成物である、組成物。
【請求項１８】
請求項１〜６のいずれか１項に記載の少なくとも１つのワクチン組成物を予め受けた患者を処置するための医薬の製造における、請求項７〜１３のいずれか１項に記載のワクチン組成物の使用。
【請求項１９】
請求項１８に記載の使用であって、ここで、
前記医薬が、請求項１〜６のいずれか１項に記載の少なくとも１つのＨＩＶワクチン組成物の複数回投与を受けた患者を処置するための複数回投与のために設計された、使用。
【請求項２０】
請求項１９に記載の使用であって、
前記医薬が、該医薬を受ける１〜５ヶ月前に、１ヶ月間隔で請求項１〜６に記載の少なくとも１つのＨＩＶワクチン組成物の２回または３回の投与を予め受けた患者を処置するために、１、２または３ヶ月間隔で２回または３回投与されるように設計された、使用。
【請求項２１】
請求項１８〜２０のいずれかに１項に記載の使用であって、ここで前記患者が、請求項１〜６のいずれか１項に記載される少なくとも１つのＨＩＶ  Ｇａｇワクチン組成物および請求項１〜６のいずれか１項に記載される少なくとも１つのＨＩＶ  Ｅｎｖワクチン組成物を予め受けている、使用。
【請求項２２】
請求項１６または１７に記載の第一および第二のワクチン組成物であって、該ワクチン組成物の一つまたは両方が、筋肉内投与用または皮内投与用である、第一および第二のワクチン組成物。
【請求項２３】
前記医薬が、筋肉内投与用または皮内投与用である、請求項１８〜２０のいずれか１項に記載の使用。
【請求項２４】
オリゴマーＨＩＶ  Ｅｎｖ  ｇｐ１４０タンパク質を作製する方法であって、以下の工程：
ｇｐ１４０をコードする核酸を宿主細胞に導入する工程；
ｇｐ１４０が細胞において発現される条件下で宿主細胞を培養する工程；および
オリゴマーｇｐ１４０（ｏ−ｇｐ１４０）タンパク質を宿主細胞から単離する工程、
を包含する、方法。
【請求項２５】
前記ｏ−ｇｐ１４０が、前記細胞から分泌され、そして該細胞上清から単離される、請求項２４に記載の方法。
【請求項２６】
請求項１〜６のいずれか１項に記載のＨＩＶ  ＤＮＡワクチン組成物を作製する方法であって、
核酸が無菌のＰＬＧ微粒子に結合して、ＤＮＡ／ＰＬＧ  ＨＩＶワクチンを形成するように、１つ以上のＨＩＶポリペプチドをコードする配列を含む核酸発現ベクターと、該ＰＬＧ微粒子とを結合させる工程を包含する、方法。
【請求項２７】
さらに前記ＤＮＡ／ＰＬＧ  ＨＩＶワクチンを、凍結乾燥する工程を包含する、請求項２６に記載の方法。
【請求項２８】
請求項７〜１３のいずれか１項に記載のＨＩＶワクチン組成物を作製する方法であって、ｏ−ｇｐ１４０とアジュバントとを結合させる工程を包含する、方法。
【手続補正書】
【提出日】平成18年8月14日(2006.8.14)
【手続補正１】
【補正対象書類名】特許請求の範囲
【補正対象項目名】請求項１１
【補正方法】変更
【補正の内容】
【請求項１１】
治療上有効量の請求項１に記載の化合物を含む、動物またはヒトにおけるＴＧＦ関連の疾患状態の予防または治療のための医薬組成物。
【手続補正２】
【補正対象書類名】特許請求の範囲
【補正対象項目名】請求項１２
【補正方法】変更
【補正の内容】
【請求項１２】
ＴＧＦ関連の疾患状態が、癌、糸球体腎炎、糖尿病性腎障害、肝線維症、肺線維症、内膜過形成および再狭窄、強皮症、および皮膚の瘢痕化からなる群より選ばれる、請求項１１に記載の医薬組成物。
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
下記式Ｉ：
【化１】
2006502239.tif 000001
［式中、
Ｒ1は各々独立してＣＮ、ＣＦ3、ＯＣＦ3、ＯＣＨＦ2、ハロゲン、Ｃ2-4アルケニル、
Ｃ2-4アルキニル、Ｒa、Ｒb、ＳＲa、ＮＲaＲb、ＣＨ2ＮＲaＲb、ＯＲaまたはＣＨ2ＯＲaから選択され、ここでＲaおよびＲbは各々独立して水素、Ｃ1-6アルキル、Ｃ（Ｏ）Ｒc、Ｃ（Ｏ）ＮＨＲcまたはＣＯ2Ｒcであり、ここでＲcは各々Ｃ1-6アルキルであるか；また
はＲaとＲbは一緒になって(ＣＨ2)jＧ(ＣＨ2)kまたはＧ(ＣＨ2)jＧであり、ここでＧは酸素またはイオウであり、ｊは１、２、３または４であり、そしてｋは０、１または２であり；
ｍは少なくとも１個のＲ1部分が水素ではない場合は１、２または３であり；
Ｒ2およびＲ3は独立して水素、Ｃ1-6アルキルまたはＣ1-4アルコキシで置換されたＣ1-6アルキルであり；
Ｒ4は各々独立して水素、ＣＮ、ＣＦ3、ＯＣＦ3、ＯＣＨＦ2、ハロゲン、Ｃ1-4アルキル、Ｃ2-4アルケニル、Ｃ2-4アルキニル、ＳＲa、ＮＲaＲb、ＣＨ2ＮＲaＲb、ＯＲaまたはＣＨ2ＯＲaから選択され、ここでＲaおよびＲbは各々独立して水素、Ｃ1-6アルキル、Ｃ(Ｏ)Ｒc、Ｃ（Ｏ）ＮＨＲcまたはＣＯ2Ｒcであり、ここでＲcは各々Ｃ1-6アルキルであるか；またはＲaとＲbは一緒になって(ＣＨ2)jＧ(ＣＨ2)kまたはＧ(ＣＨ2)jＧであり；そして、
ｎは０、１、２または３である］
の化合物、そのインビボ加水分解性前駆体および製薬上許容しうるその塩。
【請求項２】
Ｒ1は各々独立してＣＮ、Ｃ1-6アルキルまたはＯＲcであり、そして、ｍは１、２または３であり；
Ｒ2およびＲ3は独立して水素またはＣ1-6アルキルであり；そして、
Ｒ4はｎが１または２である場合は各々独立してハロゲンである；
請求項１記載の化合物、そのインビボ加水分解性前駆体および製薬上許容しうるその塩。
【請求項３】
Ｒ1は各々独立してＣＮ、エチルまたはメトキシであり、そして、ｍは１、２または３であり；
Ｒ2およびＲ3は独立して水素またはメチルであり；そして、
Ｒ4はｎが１または２である場合は各々独立してハロゲンである；
請求項１記載の化合物、そのインビボ加水分解性前駆体および製薬上許容しうるその塩。
【請求項４】
下記式ＩＩ：
【化２】
2006502239.tif 000002
［式中、Ａｒはフェニル、３，４−ジクロロフェニル、３−フルオロフェニル、４−フルオロフェニル、３，４−ジフルオロフェニル、４−メトキシフェニル、３，４−ジメトキシフェニル、３，４−メチレンジオキシフェニル、４−ジフルオロメトキシフェニルまたは４−トリフルオロメトキシフェニルから選択され；
Ｒ1はｍが１または２である場合はＨ、メチル、エチルまたはメトキシから選択され；
そして、
Ｒ2およびＲ3は独立してＨまたはメチルから選択される］
請求項１記載の化合物、そのインビボ加水分解性前駆体および製薬上許容しうるその塩。
【請求項５】
生理学的に許容されるアニオンを与える無機または有機の酸と共に製造した請求項１記載の化合物の製薬上許容しうる塩。
【請求項６】
無機または有機の酸が塩酸、臭化水素酸、硫酸、リン酸、メタンスルホン酸、スルファミン酸、ｐ−トルエンスルホン酸、酢酸、クエン酸、乳酸、酒石酸、マロン酸、フマル酸、エタンスルホン酸、ベンゼンスルホン酸、シクロヘキシルスルファミン酸、サリチル酸およびキナ酸から選択される請求項５記載の化合物の製薬上許容しうる塩。
【請求項７】
請求項１記載の化合物、そのインビボ加水分解性前駆体または製薬上許容しうるその塩および製薬上許容しうる担体を含む医薬組成物。
【請求項８】
ＮＫ1受容体の拮抗およびＳＲＩ活性が有益である疾患状態において使用するための医
薬の製造における請求項１記載の化合物、そのインビボ加水分解性前駆体または製薬上許容しうるその塩の使用。
【請求項９】
哺乳類における高血圧、癌患者における鬱病、パーキンソン病患者における鬱病、心筋梗塞後の鬱病、症候下の兆候的鬱病、不妊症の女性における鬱病、幼年性鬱病、主要鬱病、単エピソード鬱病、再発性鬱病、幼児虐待誘発性鬱病、出産後鬱病、全般性不安障害、広場恐怖症、社会嫌悪症、単純性嫌悪症、外傷後ストレス症候群、回避性人格障害、早発
射精、神経性食欲不振、神経性大食症、肥満、アルコール、コカイン、ヘロイン、フェノバルビタール、ニコチンまたはベンゾジアゼピンに対する嗜癖；群発性頭痛、偏頭痛、疼痛、アルツハイマー病、強迫性障害、パニック障害、痴呆、健忘症、加齢関連性認知低下、パーキンソン病における痴呆、睡眠薬誘発性パーキンソン病、遅発性ジスキネジー、過プロラクチン尿症、血管痙攣、脳血管痙攣、小脳性運動失調、胃腸管障害、統合失調症の陰性症状、月経前症候群、筋腺維痛症候群、ストレス性失禁、ツーレット病、抜毛癖、盗癖、男性機能障害、注意欠陥過活動性障害、慢性発作性片頭痛および血管障害に関わる頭痛の治療のために有用な医薬の製造のための請求項１記載の化合物の使用。
【手続補正２】
【補正対象書類名】明細書
【補正対象項目名】００１４
【補正方法】変更
【補正の内容】
【００１４】
式Ｉの化合物の製薬上許容しうる塩には、生理学的に許容されるアニオンを与える無機または有機の酸とともに、例えば、塩酸、臭化水素酸、硫酸、リン酸、メタンスルホン酸、スルファミン酸、ｐ−トルエンスルホン酸、酢酸、クエン酸、乳酸、酒石酸、マロン酸、フマル酸、エタンスルホン酸、ベンゼンスルホン酸、シクロヘキシルスルファミン酸、サリチル酸およびキナ酸と共に製造したものが包含される。
【手続補正３】
【補正対象書類名】明細書
【補正対象項目名】００２１
【補正方法】変更
【補正の内容】
【００２１】
更に別の例においては、本発明は、式Ｉの化合物、そのインビボ加水分解性前駆体または製薬上許容しうるその塩の有効量を温血動物に投与することを含む、ＳＲＩ活性と組み合わせたＮＫ1受容体の拮抗が有利である疾患状態の治療方法である。本発明はまた、Ｎ
Ｋ1受容体の拮抗およびＳＲＩ活性が有利である疾患状態において使用するための医薬の
製造における式Ｉの化合物、そのインビボ加水分解性前駆体または製薬上許容しうるその塩の使用を提供する。
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
半導体ナノクリスタル；及び３以上の供与基により該ナノクリスタルに結合した多座配位子を有する外層を含む、半導体ナノクリスタルであって、各供与基が、P、N、P ＝ O、及びN ＝ Oからなる群から、それぞれ独立して選択され、該多座配位子は、一以上の供与基と分岐し、かつオリゴマーの分布の一種である前記半導体ナノクリスタル。
【請求項２】
該多座配位子が、下記式を有する、請求項１記載の半導体ナノクリスタル：
【化１】
2006502232.tif 000001
（式中、nは、1、2、3、4、又は5であり、mは、1、2、3、4、5、6、7、8、9、又は10であり、各Kは、1、2、3、又は4であり、各Xは、それぞれ独立して、N、P、P = O、及びN = Oからなる群から選択された供与基であり、各Yは、置換又は無置換アルキル、置換又は無置換アルコキシ、置換又は無置換アリール、又は、置換又は無置換アリールオキシであり、かつLは、任意にO末端を有する結合基であり、かつ少なくとも１のカルボネート、カルバメート、アミド、エステル、又はエーテル結合を含む。）。
【請求項３】
該多座配位子が、下記式を有する、請求項１記載の半導体ナノクリスタル：
【化２】
2006502232.tif 000002
（式中、各nはそれぞれ独立に、1、2、又は3であり、各mはそれぞれ独立に、1、2、3、4、又は5であり、各Kは、1又は2であり、各Xは、それぞれ独立して、N、P、P = O、及びN = Oからなる群から選択された供与基であり、各Yは、置換又は無置換アルキル、置換又は無置換アルコキシ、置換又は無置換アリール、又は、置換又は無置換アリールオキシであり、Lは、任意にO末端を有する結合基であり、かつ少なくとも１のカルボネート、カルバメート、アミド、エステル、又はエーテル結合を含み、L'は結合、又は架橋結合基、かつY'-L'-Y'はYの架橋結合から誘導されている）。
【請求項４】
該多座配位子が、下記式を有する、請求項１記載の半導体ナノクリスタル：
【化３】
2006502232.tif 000003
（式中、pは、1又は2であり、各mは、1、2、3、4、又は5であり、各Kは、1又は2であり、各jは、0又は1であり、各pは、0又は1であり、qは、1、2、3、4、5、6、7、8、9、又は10であり、各Xは、それぞれ独立して、N、P、P = O、及びN = Oからなる群から選択された供与基であり、各Yは、置換又は無置換アルキル、置換又は無置換アルコキシ、置換又は無置換アリール、又は、置換又は無置換アリールオキシであり、かつLは、任意にO末端を有する結合基であり、かつ少なくとも１のカルボネート、カルバメート、アミド、エステル、又はエーテル結合を含む。）。
【請求項５】
該多座配位子が、下記式を有する、請求項１記載の半導体ナノクリスタル：
【化４】
2006502232.tif 000004
（式中、nは、1、2、又は3であり、mは、1、2、3、4、5、6、7、8、9、又は10であり、各Kは、1又は2であり、各xは、それぞれ独立して、0又は1であり、Z1とZ2の各々は、それぞれ独立して、エーテル、アミド、エステル、カルバメート、又はカルボネート結合であり、R1とR2の各々は、それぞれ独立して、S、O、NH、N-低級アルキル、アリーレン、ヘテロアリーレン、又はアラルキレンで任意に中断されており、かつS、O、NH、N-低級アルキル、アリーレン、ヘテロアリーレン、又はアラルキレンで任意に終結している、アルキレンであり、かつ各Rは、置換又は無置換アルキル、置換又は無置換アルコキシ、又は、置換又は無置換アリールである。）。
【請求項６】
該多座配位子が、下記式を有する、請求項１記載の半導体ナノクリスタル：
【化５】
2006502232.tif 000005
（式中、nは、1、2、又は3であり、mは、1、2、3、4、又は5であり、各Kは、1又は2であり、各xは、それぞれ独立して、0又は1であり、Zは、エーテル、カルバメート、又はカルボネート結合であり、各R1と各R2は、それぞれ独立して、S、O、NH、N-低級アルキル、アリーレン、ヘテロアリーレン、又はアラルキレンで任意に中断されており、かつS、O、NH、N-低級アルキル、アリーレン、ヘテロアリーレン、又はアラルキレンで任意に終結している、アルキレンであり、かつ各Rは、置換又は無置換アルキル、又は、置換又は無置換アリールであり、かつ各Rは、エーテル、エステル、アミド、カルバメート、又はカルボネート結合を介して、R1と結合している。）。
【請求項７】
該多座配位子が、下記式を有する、請求項１記載のナノクリスタル：
【化６】
2006502232.tif 000006
（式中、nは、1、2、又は3であり、mは、1、2、3、4、又は5であり、各Kは、1又は2であり、各xは、それぞれ独立して、0又は1であり、かつ各Rは、置換又は無置換アルキル、置換又は無置換アルコキシ、又は、置換又は無置換アリールである。）。
【請求項８】
該多座配位子が、下記式を有する、請求項１記載の半導体ナノクリスタル：
【化７】
2006502232.tif 000007
（式中、nは、1、2、又は3であり、mは、1、2、3、4、又は5であり、かつ各Kは、1又は2であり、各xは、それぞれ独立して、0又は1であり、各Rは、置換又は無置換アルキル、又は、置換又は無置換アリールであり、L'は、結合、又は架橋結合基であり、かつR'-L'-R'は、Rの架橋結合から誘導されている。）。
【請求項９】
各Xが、P又はP = Oであり、かつLが、少なくとも１のカルバメート結合を含む、請求項１〜８のいずれか一項記載の前記ナノクリスタル。
【請求項１０】
各Yが、非置換アルキルである、請求項１〜９のいずれか一項記載の前記ナノクリスタル。
【請求項１１】
各Yが、カルボン酸基を含む、請求項１〜１０のいずれか一項記載の前記ナノクリスタル。
【請求項１２】
各Yが、アクリレート基を含む、請求項１〜１１のいずれか一項記載の前記ナノクリスタル。
【請求項１３】
ナノクリスタルを、３以上の供与基を有する多座配位子で接触させることを含む、任意の前記請求項１−１２記載のナノクリスタルの製造方法であって、各供与基は、該安定化したナノクリスタルを形成、かつ接触後に該多座配位子を架橋結合するように、P、N、P = O、及びN = Oからなる群から、それぞれ独立して選択される、前記方法。
【請求項１４】
架橋結合が、該多座配位子を、ジアミンとカップリング剤に接触させることを含む、請求項１３記載の方法。
【請求項１５】
架橋結合が、該多座配位子を、ラジカル開始剤と接触させることを含む、請求項１３記載の方法。
【請求項１６】
モノマーの多官能性ホスフィンを、多官能性オリゴマー化試薬と接触させ、オリゴマーホスフィンを形成することを更に含む、請求項１３記載のナノクリスタルの製造方法。